(57)【要約】      （修正有）【課題】ＤＳＲＣ通信システムが設置されている駐車場において、煩雑な手続きを経ることなくＤＳＲＣ通信網のみで店舗情報が得られるシステムを提供する。【解決手段】車両１０１が駐車したことを検出して車載器１０９から駐車情報と当該車両の利用者が携行する携帯端末１１２のメールアドレスを、駐車場側の管理センタ１０４に送信し、管理センタ側ではこの送信信号を受信して駐車課金処理を開始し、当該駐車場近傍の店舗広告、各店舗のＵＲＬ一覧、各店舗の簡単な地図等の広告情報を上記メールアドレスで指定された携帯端末に配信する構成としている。【選択図】図１
2005228173.tif 000002
【特許請求の範囲】
【請求項１】
駐車場近傍の限られた範囲で通信が可能なＤＳＲＣ通信による情報提供システムであって、
車両に搭載した移動局側である第１のＤＳＲＣ通信を行う無線部と、
車両固有の識別番号、情報配信先となる携帯端末のアドレスおよび駐車情報を一時記憶するメモリ部と、
を有する車載器と、
前記駐車場に設置されており、固定局側である第２のＤＳＲＣ通信手段と、
少なくとも前記車両固有の識別番号を受信し、駐車情報を記録する駐車管理サーバと、
駐車場に関連する情報を記録する情報配信サーバと、
これら両サーバの動作を制御するサーバ管理端末となる駐車管理／情報配信サーバ制御装置と、
を備えた管理センタと、
前記第２のＤＳＲＣ通信手段と、少なくとも携帯電話回線で構成されている携帯端末ネットワークを介して接続されている携帯端末と、
で構成されており、
前記車両が前記駐車場に駐車した際に、前記駐車場に関連する情報を前記車両の利用者が指定したアドレスを有する前記携帯端末に送信する、
ことを特徴とするＤＳＲＣ情報提供システム。
【請求項２】
駐車場近傍の限られた範囲で通信が可能なＤＳＲＣ通信による請求項１に記載の情報提供システムであって、
前記車両が駐車状態になったことを検出する駐車検出手段と、
前記車両固有の識別符号、前記駐車検出手段が検出した駐車開始時刻および前記車両の駐車位置を含む駐車情報を作成する駐車情報生成手段とを備えていることを特徴とするＤＳＲＣ情報提供システム。
【請求項３】
請求項１または請求項２に記載の前記駐車場に関連する情報は、前記駐車場の近傍にあり、前記駐車場と前記駐車場に関連する情報の配信契約をしている店舗名、各店舗のＵＲＬ一覧、各店舗に至る簡易地図の少なくとも何れかである
ことを特徴とするＤＳＲＣ情報提供システム。
【請求項４】
前記車載器の前記駐車検出手段が、前記車両が駐車状態から開放され、出庫状態になったことを検知し、
前記車載器はこの検知結果を前記第１および第２のＤＳＲＣ通信手段を介して前記管理センタに告知し、
前記管理センタは前記車両の前記利用者が駐車料金清算処理を完了したことを検知した時点で前記携帯端末への前記駐車場に関連する情報の配信を停止する
ことを特徴とする請求項１乃至請求項３の何れかに記載のＤＳＲＣ情報提供システム。
【請求項５】
請求項１乃至請求項４の何れかに記載のＤＳＲＣ情報提供システムにおいて、
前記携帯端末に送付されて来る前記各店舗のＵＲＬには、当該店舗が設定した割引率を有する割引クーポンが添付されており、
前記携帯端末の利用者が前記割引クーポンと共に当該割引クーポンを発行した店舗で会計処理を済ませたことにより発生した会計情報は、広告配信のため接続されている前記携帯端末ネットワークを介して前記管理センタに送信され、
前記管理センタにおいては、送信されてきた前記会計情報と、前記駐車管理サーバに記録されている前記駐車情報とから前記駐車場における前記車両駐車課金の割引率を決定する
ことを特徴とするＤＳＲＣ情報提供システム。
【請求項６】
駐車場近傍の限られた範囲で通信が可能なＤＳＲＣ通信を用いたＤＳＲＣ情報提供方法であって、
移動局側となる車載器に搭載した無線部で第１のＤＳＲＣ通信を行い、
前記車載器に搭載したメモリ部で車両固有の識別番号、情報配信先となる携帯端末のアドレスおよび駐車情報を一時記憶し、
前記駐車場に設置されており、固定局側となる管理センタにおいては、第２のＤＳＲＣ通信手段により、少なくとも前記車両固有の識別番号を受信し、駐車管理サーバに駐車情報を記録し、情報配信サーバに駐車場に関連する情報を記録し、  これら両サーバの動作をサーバ管理端末となる駐車管理／情報配信サーバ制御装置により制御し、
前記車両の利用者が指定したアドレスを有する携帯端末に、携帯電話回線で構成されている携帯端末ネットワークを介して前記第２のＤＳＲＣ通信手段により前記駐車場に関連する情報を送信すること、
を特徴とするＤＳＲＣ情報提供方法。
【発明の詳細な説明】
【技術分野】
【０００１】
本発明は、限られた範囲内で広告その他情報を送受信する狭域通信システム（ＤＳＲＣ／Dedicated  Short  Range  Communication）に係る。
【背景技術】
【０００２】
従来、買い物に出かけた先で、駐車場周辺の店舗あるいは施設の広告として、狭域通信システム（以下、ＤＳＲＣシステムと記す）による広告配信システムを用いて駐車場周辺の店舗情報を提供する方法がある。しかし、この方法では、広告を専用の車載器により見るため、利用者は車両内に留まっていなければならないといった問題があった。また、車両から離れて携帯電話を用いる方法、あるいは下記特許文献１で開示されているように、駐車スペースに店舗名を表示する方法等が開示されているが、前者においては特定のプロバイダとの契約を必要とし、後者においては視界に入る店舗の数が限られ、しかも店舗名程度の情報しか得られない等、いずれも簡単にかつ駐車場近傍の店舗情報を随時入手するには不充分であった。
【特許文献１】特開平１０−３１９８９０号公報
【発明の開示】
【発明が解決しようとする課題】
【０００３】
本発明においては、前記問題点を解決し、駐車場の利用者は車両内に留まることなく、ＤＳＲＣシステムを装備した駐車場に駐車中であれば当該駐車場近傍の任意の場所で店舗情報や当該駐車場と契約している店舗が提供する広告を、特定のプロバイダとの契約を必要とせずに入手する事が出来、かつ駐車課金に必要な情報と共に、この店舗情報等を利用者により指定された携帯電話等の携帯端末に送信することが可能なシステムの構築を目的としている。
【課題を解決するための手段】
【０００４】
移動局側となる車両は第１のＤＳＲＣ通信手段となる無線部と、車両固有の識別番号、ＤＳＲＣ通信により駐車場の管理センタ側からダウンリンクされてきた駐車関連情報およびその他各種処理プログラム等が記憶されているメモリとを備えた車載器を搭載しており、固定局側となる駐車場には第２のＤＳＲＣ通信手段と、駐車管理および駐車場関連の情報配信処理を行う管理センタが設置されている駐車場に駐車した後、この駐車開始時刻および車両識別符号が前記車載器から当該車両利用者が指定する携帯端末のアドレスと共に管理センタに送信される。管理センタは駐車管理サーバ／情報配信サーバおよびこれらサーバの動作を制御するサーバ管理端末を備えており、これら各情報を受信した駐車場の管理センタ側では駐車課金処理を開始すると同時に、駐車場近傍でかつ当該駐車場と契約している店舗の広告、各店舗のＵＲＬ一覧、各店舗の地図等の駐車場に関連した情報を上記アドレスが指定された携帯端末に配信を開始する構成としている。なお、この情報配信は駐車課金清算処理および出庫情報を管理センタ側で受信した時を持って終了する。
【発明の効果】
【０００５】
本発明により、車両を、ＤＳＲＣシステムを装備した駐車場に駐車した場合、当該ＤＳＲＣシステムのサービスエリア内であれば、当該車両の利用者は車内に留まる必要もなく、特定のプロバイダとの契約も不要で、車両から離れた位置にあっても当該駐車場近傍の店舗情報等を、駐車課金情報と共に指定の携帯端末を介して入手することが出来るようになる。
【発明を実施するための最良の形態】
【０００６】
本発明によるシステムの構成を図１に示す。本発明が適用される駐車場においては、ＤＳＲＣ通信により駐車中の車両の課金処理と当該駐車場に関連する情報の提供、すなわち駐車場近傍の店舗あるいは施設に関する広告及びこれらに関する情報の提供を実施できるシステムが整備されている。  
以下、このシステムについて説明する。駐車中車載器１０９で発生される車両１０１を識別するための固定識別符号あるいは駐車場のゲート通過時に付与される識別符号等の車両情報を駐車場周辺に設置されている狭域通信アンテナ１０２で受信し、この受信信号は狭域通信制御機１０３を経由して管理センタ１０４に送られる。この場合、車両情報としての上記の固有識別符号は、当該車両に固有の符号であってもよいし、駐車場に入庫時に入庫時刻と共に、例えばその日のその駐車場入庫車の通し番号等駐車中のみ有効な一時的番号または符号を当該車両の車載器に対して付与するものであってもよい。一時的な番号の場合は出庫時に消去されるものとする。
【０００７】
管理センタ１０４は駐車車両の固有識別符号、駐車位置、駐車開始時刻等の駐車管理情報生成の機能を有しており、これにより得られた駐車情報を記録し課金処理を実行する駐車管理サーバ１０５と、当該駐車場近傍でかつ駐車場と契約している店舗の広告インデックス情報ページのアドレスおよび広告等店舗情報を管理する情報配信サーバ１０６と、これら２つのサーバの動作を制御する駐車管理／情報配信サーバ制御装置１０７とを含む構成となっている。車両１０１が駐車場１０８でエンジンキーＯＦＦ、サイドブレーキ作動あるいはドアロック等の駐車処理を行ったところで、車載器１０９からこの駐車開始情報、当該車両の固有識別符号、および利用者の携帯端末１１２のアドレスを含む車両情報を駐車場側の管理センタ１０４にアップリンクする。このアップリンクされた情報は駐車場に設置されている狭域通信アンテナ１０２および狭域通信制御機１０３を経由して行われる。
【０００８】
アップリンクされてきた情報は管理センタ１０４内のサーバ管理端末（駐車管理／情報配信サーバ制御装置）１０７に入力される。上記アップリンクされて来た情報に含まれる携帯端末１１２のアドレスに対して、駐車管理サーバ１０５からは駐車情報を、情報配信サーバ１０６からは予め登録された契約店舗の広告インデックス情報ページのアドレスをメールにて配信する。すなわち、この情報配信サーバ１０６から配信される広告店舗のアドレスページは、上記の駐車情報と共に管理センタ１０４から電話回線１１０及び携帯電話基地局１１１で構成された携帯端末ネットワークを通じてＤＳＲＣ通信により上記のアップリンクされてきた送信元である当該携帯端末１１２に送信されることになる。
【０００９】
図２に車載器１０９の構成を示す。図２において、車載器１０９の本体は、無線部２０１、処理部２０２およびメモリ２０３で構成されている。無線部２０１はＤＳＲＣ通信を行うための変復調、電力増幅を行う部分で、狭域通信アンテナ２０４に接続されている。処理部２０２は狭域通信データ処理をおこなう部分２０５と、ＧＰＳアンテナ２０７を介して得られるナビゲーションデータ(ナビデータ)の処理２０６とを行う部分とで構成されている。メモリ２０３は車載器処理プログラム、ナビゲーション用地図データ、当該車両固有の識別符号その他ＤＳＲＣ通信により駐車場の管理センタ１０４側からダウンリンクしたデータを保持し記憶する部分である。
【００１０】
ここで、本システム利用者が携行し、上記の駐車課金情報、あるいは広告情報等が配信される携帯端末１１２のアドレスは予め入力手段１１３を通じてメモリ２０３に入力し記憶させておくものとする。これらの他、車載器１０９のシステムには、車載器１０９の処理結果を運転者に提示する車内表示器１１０、車内スピーカ１１６、ナビゲーションに関する各種操作を設定するための入力手段１１３、さらに車両１０１が駐車状態であることを検知するための車輪速パルス信号発生器１１４、パーキングブレーキ信号発生器１１５さらにドアロック検出器１１７が付随している。以上のように、車載器１０９本体内においては、ナビゲーションデータ処理と、ＤＳＲＣ通信処理との２つの処理が実行されている。
【００１１】
図３は車載器１０９がＤＳＲＣ通信系を通じて携帯端末１１２のアドレスをアップリンクするまでの処理のフローを示している。先ず、車載器１０９は車両１０１が駐車中か、走行中かをナビゲーション機能（車輪速パルス、パーキングブレーキ信号等）を利用して判断する（Ｓ１０１）。車両１０１が走行中の場合（Ｓ１０１でＮｏ）は処理を続行することなく、スタート側に戻り駐車待ちの状態を保持する。  
車載器１０９は車両１０１が駐車状態になったと判断した所で（Ｓ１０１でＹｅｓ）、車両１０１の利用者が必要とするＤＳＲＣ通信領域内か否かの判定を行う（Ｓ１０２）。ここで、車載器１０９において駐車開始後は継続的にＤＳＲＣ通信のチャネルスキャン機能を動作状態としており、車両１０１がどのＤＳＲＣチャネルの通信領域内にいるかのチェックを常時実行している。  
ここで、駐車状態となったにも拘わらず何れのＤＳＲＣ通信チャネルも検出し得ない時（Ｓ１０２でＮｏ）は、この駐車位置ではＤＳＲＣ通信を利用することが出来ないので本処理を続行することは意味がなく、したがって処理を終了する。また、車両１０１が駐車状態で、かつＤＳＲＣ通信領域内にあるとき（Ｓ１０２でＹｅｓ）は駐車開始信号、当該車両１０１固有の識別符号その他駐車課金処理関連情報と携帯端末１１２のアドレスを狭域通信アンテナ２０４に送出し（Ｓ１０３）、管理センタ１０４側の駐車管理サーバ１０５に登録して本処理を終了する。なお、車両１０１固有の識別符号の代わりに、前記のように、車両１０１が駐車場ゲート通過時に当該駐車場１０８固有の識別符号（例えば、通し番号等）をサーバ管理端末１０７で生成し車載器１０９のメモリ２０３に付与してもよい。
【００１２】
一方、図４は管理センタ１０４におけるサーバ管理端末となる駐車管理・情報配信サーバ制御装置１０７における処理のフローを示している。各サーバの管理端末である駐車管理／情報配信サーバ制御装置１０７においては、車載器１０９からの固有識別符号および駐車課金処理関連の駐車情報と広告等情報の配信受信用としての携帯端末１１２のアドレスがアップリンクされてくるのを常時監視している（Ｓ２０１において常時Ｎｏ）。サーバ管理端末１０７側で車両１０１の車載器１０９からのＤＳＲＣ通信のチャネルサーチ信号を受信し、アップリンクされると（Ｓ２０１のＹｅｓ）該当車両１０１の車載器１０９から送信されて来る車載器１０９の管理番号情報、あるいは固有識別符号や、駐車料金引き落とし情報等の駐車課金処理関連情報をサーバ管理端末１０７側では受信して、必要に応じて駐車場側で識別した駐車位置（駐車枠番号等）の記録と共に駐車課金処理を開始する（Ｓ２０２）。ここで、駐車料金引き落とし情報の中には、例えば、特定の商品を購入した場合の駐車料金割り引き等の特別サービス情報による処理も必要に応じて含まれている。
【００１３】
次に、情報配信のため駐車車両１０１の車載器１０９から指定された携帯端末１１２のメールアドレスの受信処理（Ｓ２０３）に入る．ここで、アドレスが受信されない場合（Ｓ２０３のＮｏ）は本システムの店舗広告等を利用しないと判断されるから、出庫時の駐車課金処理待ちの状態（Ｓ２０８のＮｏ）となり、駐車課金支払い完了（Ｓ２０８のＹｅｓ）となったところで出庫を確認し一連の処理を完了する。また、携帯端末１１２のアドレスが受信された場合（Ｓ２０３のＹｅｓ）は、このアドレスを広告配信アドレスリストに登録し、サーバ管理端末１０７側では契約店舗広告情報（例えば、各店舗のＵＲＬ、各店舗の簡易地図等）を情報配信サーバ１０６から読み出し、上記により受信した携帯端末１１２のメールアドレスに送信する（Ｓ２０４）。
【００１４】
ここで、駐車課金処理が開始されていること、上記アドレスが送受信済みであることを、車載器１０９側とサーバ管理端末１０７側との両者に記録させておく。この店舗情報が送信で携帯端末１１２と接続された状態で、時間指定で売り出しを行う等の時間指定条件付売出しを行う店舗があれば（Ｓ２０５のＹｅｓ）当該店舗名とその限定条件の広告送信を行う（Ｓ２０６）。また、このような限定条件付の広告がない場合（Ｓ２０５のＮｏ）はこれ以上の広告等の情報送信は行わず駐車課金処理待ちの状態（Ｓ２０７）となる。ここで、待ち時間中に時間指定の広告がリアルタイムで発行される場合もあるため、待ち時間の間中ステップＳ２０５の入力側に戻ってこの限定広告の発行を監視する体制となっている（Ｓ２０５のＮｏ→Ｓ２０７のＮｏ）。駐車料金を支払い出庫したところで本システムの一連の処理は終了することになる。
【００１５】
このように、本発明においては利用者が駐車場に車両を駐車している間に限り時間指定広告の配信をリアルタイム情報として携帯端末１１２に配信することが主たる機能の一つとしており、ここで、時間指定配信広告とは、例えば、「１４：００〜１６：００に限り食材を全て２０％引き」等という特定の情報を指定された携帯端末に配信し得ることが大きな特徴となっている。
【００１６】
なお、車載器１０９は、駐車期間中は電源ＯＮの状態であることを前提としているが、仮に何等かの原因で電源がＯＦＦとなり、その後、車両１０１に利用者が戻りエンジン再スタートしたことにより車載器１０９が再起動し、これによりステップＳ２０１からの動作が再スタートしたとしても、管理センタ１０４側では駐車開始時の駐車料金課金処理中の状態であり、かつアドレスは送信済みの状態が記録されているから、管理センタ１０４側としては新たに再送されてきた現在処理中の同一車載器１０９からのアドレス等駐車開始時の信号は受信しないことになる（Ｓ１０３のＮｏ）。この場合は、エンジン再起動ではあっても駐車課金は継続的に実施されており、ＤＳＲＣ通信により当該車両１０１の動きを監視し出庫処理すなわち駐車課金処理完了（出庫ゲートでの料金支払い等）を待つことになる（Ｓ２０８）。  
ここで、課金処理が完了しなければ（Ｓ２０８のＮｏ）、この処理Ｓ２０８の入力側に戻り、駐車課金処理完了を待つ。料金支払いが終わり課金処理が完了すれば当該車両は駐車場から出庫したことであるから、駐車場１０８入庫時に識別符号が付与された場合は、この段階でメモリ２０３から削除され、上記一連の処理は終了したことになる（Ｓ２０８のＹｅｓ）。
【００１７】
以上述べた実施の形態においては、車両１０１が駐車場へ入り、車両１０１が停止した時点を基準として駐車位置の確認、駐車課金の計算、店舗広告の送信等を開始する構成としている。しかし、これは一例として説明したものでこれに限定するものではなく、車両が駐車場に入ってきた時に広告情報を車載器１０９に送信することも可能で、この場合、広告情報は駐車位置に駐車するまで車載器１０９内のメモリに広告情報は蓄積される。この蓄積された広告情報は、例えばエンジンＯＦＦ信号、サイドブレーキ作動信号、あるいはドアロック等駐停車を示す信号をトリガとして携帯端末１１２に転送することも可能である。この後は上記本発明のように、車両が停車した駐車場に停車している限りリアルタイム情報は利用者指定の携帯端末１１２に送信される。
【図面の簡単な説明】
【００１８】
【図１】本発明によるシステム構成を示す模式図。
【図２】車載器の構成を示すブロック図。
【図３】車載器の処理手順を示すフロー図。
【図４】本システムの全処理過程を示すフロー図。
【符号の説明】
【００１９】
１０１：車両                      １０２：狭域通信アンテナ
１０３：狭域通信制御機            １０４：管理センタ
１０５：駐車管理サーバ            １０６：広告配信サーバ
１０７：サーバ管理端末（駐車管理／広告配信サーバ制御装置）
１０９：車載器                    １１０：電話回線
１１１：携帯電話基地局            １１２：携帯端末
１１３：入力手段                  １１４：車輪速パルス信号
1１５：パーキングブレーキ信号    １１６：車内スピーカ
１１７：ドアロック検出器          ２０１：無線部
２０２：処理部                    ２０３：メモリ
２０４：狭域通信アンテナ          ２０５：狭域通信データ処理部
２０６：ナビデータ処理部          ２０７：ＧＰＳアンテナ
２０８：駐車検出部
【図１】
2005228173.tif 000003
【図２】
2005228173.tif 000004
【図３】
2005228173.tif 000005
【図４】
2005228173.tif 000006